(57)【要約】【課題】撮影者がファインダを覗いた場合、顔の一部がタッチパネルに接触した場合の誤動作を自動的に回避する。【解決手段】画像を表示する第１の表示手段と、第１の表示手段の前面に設けられ、撮影者により操作されるタッチパネルと、画像を表示する第２の表示手段と、第２の表示手段の左右の各々に設けられ、対象物の接近を検知する第１の近接検知手段及び第２の近接検知手段と、第１の近接検知手段および第２の近接検知手段のいずれもが対象物の接近を検知しない場合は第１の表示手段に画像を表示させ、第１の近接検知手段および第２の近接検知手段の少なくともいずれか一方が対象物の接近を検知した場合は第２の表示手段に画像を表示させる制御手段とを備え、制御手段が第２の表示手段を画像に表示させる場合に、第１の近接検知手段および第２の近接検知手段の検知結果に応じて、タッチパネルの入力可能領域を変更する。【選択図】図２
2011146959.tif 000002
【特許請求の範囲】
【請求項１】
画像を表示する第１の表示手段と、
前記第１の表示手段の前面に設けられ、撮影者により操作されるタッチパネルと、
画像を表示する第２の表示手段と、
前記第２の表示手段の左右の各々に設けられ、対象物の接近を検知する第１の近接検知手段および第２の近接検知手段と、
前記第１の近接検知手段および前記第２の近接検知手段のいずれもが対象物の接近を検知しない場合は前記第１の表示手段に画像を表示させ、前記第１の近接検知手段および前記第２の近接検知手段の少なくともいずれか一方が対象物の接近を検知した場合は前記第２の表示手段に画像を表示させる制御手段とを備え、
前記制御手段が前記第２の表示手段を画像に表示させる場合に、前記第１の近接検知手段および前記第２の近接検知手段の検知結果に応じて、前記タッチパネルの入力可能領域を変更する撮像装置。
【請求項２】
前記第１の表示手段は、格納状態と可動状態との間を遷移可能であり、前記第１の表示手段が可動状態にあるときは、前記第１の近接検知手段および前記第２の近接検知手段の検知結果によらず、前記タッチパネルの全域を入力可能領域とする請求項１記載の撮像装置。
【発明の詳細な説明】
【技術分野】
【０００１】
本発明は、被写体の画像データを記録する撮像装置に関し、特に、二つの表示手段を備えかつ、そのうちの一つにタッチパネルを備える撮像装置に関する。
【背景技術】
【０００２】
特許文献１は、装置の背面に設けられたタッチパネルと、ファインダを覗く眼の情報を登録する登録手段と、登録された眼の情報に応じて、タッチパネルの接触による入力が可能な入力可能領域を設定する手段とを有する撮像装置を開示している。
【先行技術文献】
【特許文献】
【０００３】
【特許文献１】特開２００９−２６０６８１号公報
【発明の概要】
【発明が解決しようとする課題】
【０００４】
しかしながら、特許文献１に記載の技術では、本撮像装置を使用する撮影者が変わった場合、いままで撮影してきた撮影者（前撮影者）と後から撮影する撮影者（後撮影者）で利き目が変わる場合がある。後撮影者が前撮影者のタッチパネル入力可能領域のまま使用すると、顔の一部（鼻）で誤動作を起す可能性がある。一方、この誤動作を起さないためには、撮影者が変わる度に利き目の設定をやり直す煩わしさがある。
【０００５】
本発明はこのような課題に鑑み、撮影者が変わっても利き目の設定をやり直す必要のない撮像装置を提供することを目的とする。
【課題を解決するための手段】
【０００６】
前記課題を解決する為に本発明の撮像装置は、画像を表示する第１の表示手段と、第１の表示手段の前面に設けられ、撮影者により操作されるタッチパネルと、画像を表示する第２の表示手段と、第２の表示手段の左右の各々に設けられ、対象物の接近を検知する第１の近接検知手段及び第２の近接検知手段と、第１の近接検知手段および第２の近接検知手段のいずれもが対象物の接近を検知しない場合は第１の表示手段に画像を表示させ、第１の近接検知手段および第２の近接検知手段の少なくともいずれか一方が対象物の接近を検知した場合は第２の表示手段に画像を表示させる制御手段とを備え、制御手段が第２の表示手段を画像に表示させる場合に、第１の近接検知手段および第２の近接検知手段の検知結果に応じて、タッチパネルの入力可能領域を変更する。
【発明の効果】
【０００７】
本発明によれば、第１の接眼検出手段と第２の接眼検出手段とを有することにより、自動的に入力可能領域を設定することができるため、タッチパネルの誤動作を防止したり、撮影者が煩わしい設定を行わずに、使い勝手を向上した撮像装置を提供することができる。
【図面の簡単な説明】
【０００８】
【図１】撮像装置を撮影者側から見た背面図
【図２】撮像装置でファインダ使用時のタッチパネルの入力可能領域の設定図
【図３】撮像装置でファインダ使用時のタッチパネルの入力可能領域の設定図
【図４】撮像装置の動作を示すフローチャート
【図５】撮像装置の動作を示すフローチャート
【発明を実施するための形態】
【０００９】
（実施の形態）
（デジタルカメラの構成）
以下、本発明の実施形態について、図面を参照しながら説明する。
【００１０】
図１は、撮像装置としてのデジタルカメラ１の背面図である。デジタルカメラ１には、撮像により取得された画像や各種設定画面などを表示する背面ディスプレイとしてのＬＣＤモニタ２を搭載している。ＬＣＤモニタ２の前面にはＬＣＤモニタ用タッチパネルが設けられ、ユーザーのタッチ操作によって、デジタルカメラ１の各種設定を行う事ができる。例えば、ＬＣＤモニタ２に表示されるメニュー項目の選択や該項目に関する設定の実行をデジタルカメラ１に指示することが可能である。例として、デジタルカメラのシャッタスピード値、絞り値、露出補正値、感度設定値、ホワイトバランスなどの設定が可能である。
【００１１】
また、デジタルカメラ１には、撮像により取得された画像を表示するデバイスとして、ＬＣＤモニタ２とは別に電子式ビューファインダ３を備えている。電子式ビューファインダ３の近傍には第１の接眼検出手段４および第２の接眼検出手段５を備え、撮影者が電子式ビューファインダ３を覗こうとすると、各接眼検出手段の出力により、撮像状態表示をＬＣＤモニタ２から電子式ビューファインダ３へ自動的に切り替える。
【００１２】
接眼検出手段４および接眼検出手段５は静電感知を行い、撮影者の顔と電子式ビューファインダ３との距離が近いほど接眼検出手段の電圧値が高くなる。接眼検出手段４は電子式ビューファインダ３の右に配置され、接眼検出手段５は電子式ビューファインダ３の左に配置される。デジタルカメラ１に内蔵されたマイコンは、それぞれの接眼検出手段の出力値の違いにより、撮影者が右眼で電子式ビューファインダ３を覗いているか、左眼で覗いているかを検出可能となる。具体的にはマイコンは、例えば接眼検出手段４の出力が第１の閾値以上となりかつ、接眼検出手段５の出力が、第１の閾値よりも低い第２の閾値未満であるときに、撮影者が左目で電子式ビューファインダ３を覗いていると判断し、逆に接眼検出手段５の出力が第１の閾値以上となりかつ、接眼検出手段４の出力が第２の閾値未満であるときに、撮影者が右目で電子式ビューファインダ３を覗いていると判断することができる。また、接眼検出手段の少なくともいずれか一方の出力が第１の閾値以上である場合には、マイコンは、撮影者が電子式ビューファインダ３にいずれかの眼で接眼していると判断し、いずれも第１の閾値未満である場合には、撮影者は電子式ビューファインダ３に接眼していないと判断することができる。また、一方が第１の閾値以上であり、他方が第２の閾値以上（第１の閾値以上である場合も含む）である場合には、接眼はしているが左右いずれの眼で接眼しているか判断不能と判断することができる。なお、ここでは第２の閾値が第１の閾値よりも低い値であるものとしたが、第１の閾値と同じ値としてもよい。
【００１３】
一方、ＬＣＤモニタ２の前面に備え付けられたタッチパネルは、撮影者が電子式ビューファインダ３を使用中でも有効にできるが、撮影者が右眼にて覗いた場合は、撮影者の顔がＬＣＤモニタ２の左半分を顔で覆ってしまい、タッチパネルの左半分は使用できない状態となる。そこで、撮影者が右目で電子式ビューファインダ３を覗いていると判断する場合、図２（ａ）の領域６のように、タッチパネルの右半分をタッチパネルの入力可能領域に設定する。逆に撮影者が左目で電子式ビューファインダ３を覗いていると判断する場合は図２（ｂ）の領域７のように、タッチパネルの左半分をタッチパネルの入力可能領域に設定する。
【００１４】
ＬＣＤモニタ２は可動式液晶モニタでも構わない。可動式液晶モニタはデジタルカメラ１に対して、二つの異なる軸を中心に回転することができる（バリアングルモニタ）。可動式液晶モニタは図１のようにデジタルカメラ１に収納した格納状態で使用する場合と図３のように開いた可動状態で使用する事が可能である。このように可動式液晶モニタで開いている状態では、撮影者が右眼で覗いても、左眼で覗いても撮影者の顔がタッチパネルの邪魔にはならない。したがって、可動式液晶モニタを開いた状態では、接眼検出手段４及び接眼検出手段５の出力結果によらず、タッチパネルの全域を入力可能領域８として設定する。
【００１５】
（デジタルカメラの動作）
図４及び図５はデジタルカメラ１において画面表示の切り替え処理の流れを示すフローチャートである。電源投入等により、デジタルカメラ１が動作を開始した状態では、撮像画像等をＬＣＤモニタ２に表示するものとする。
【００１６】
まず、第１の接眼検出手段４および第２の接眼検出手段５により、撮影者がファインダへ接眼しているかチェックする（Ｓ１０１）。具体的には、いずれかの接眼検出手段の出力が第１の閾値以上であるときに、接眼していると判断し、そうでない場合に接眼していないと判断する。撮影者のファインダへの接眼が検出されていないと判断した場合（Ｓ１０１において“ｎ”）は、撮像画像等をＬＣＤモニタ２に表示し、また、タッチパネルの操作モードを、ＬＣＤモニタ２のタッチパネルの全面を入力可能領域として設定した通常タッチパネルモードに設定し（Ｓ１０３）、動作を終了する。一方、撮影者が電子式ビューファインダ３へ接眼していると判断した場合（Ｓ１０１において“ｙ”）は、電子式ビューファインダ３への切り替えルーチン（Ｓ１０４）へ移行する。
【００１７】
図５は、デジタルカメラ１においてタッチパネルの入力可能領域を設定する際の処理の流れを示すフローチャートである。電子式ビューファインダ３への切り替えルーチンでは、ＬＣＤモニタ２をオフし、撮像画像等を電子式ビューファインダ３へ表示するように切り替える（Ｓ２０１）。
【００１８】
次に、タッチパネルの操作モードを通常モードからＥＶＦタッチモードに切り替える（Ｓ２０２）。ここではモードの切り替えのみを行い、具体的な処理をこの後に行う。ＥＶＦタッチモードは電子式ビューファインダ３を覗きながらでもタッチパネルを利用できるモードである。ＥＶＦタッチモードでは、例えば電子式ビューファインダ３に矢印などのアイコンを表示し、タッチパネル上を指でなぞることにより、電子式ビューファインダ３に表示されたアイコンを操作することを可能とする。また２回続けてタッチする事で、表示されたアイコンの選択を行う事が可能である。
【００１９】
例えば、アイコンをタッチセンサの指でなぞりながら、電子式ビューファインダ内のアイコンをシャッタスピード設定部へ移動し、そこで、タッチセンサを指で２回たたくと、シャッタ設定画面へ遷移する。撮影者がこのような操作を行う事で、電子式ビューファインダ３を使用中でも、ＬＣＤモニタ２を使用した通常モードと同じ操作を行う事が可能となる。
【００２０】
次に、ＬＣＤモニタ２が可動式である場合は、図３のようにＬＣＤモニタ２がデジタルカメラ１から開いた状態かどうかチェックを行う（Ｓ２０３）。ＬＣＤモニタ２が開いた可動状態であるときは、タッチパネルの入力可能領域を全域に設定する（Ｓ２０４）。
【００２１】
一方、ＬＣＤモニタ２が格納状態であるときは、第１の接眼検出手段４の出力値と第２の接眼検出手段５の出力値に基づいて、撮影者がファインダを右眼で覗いているか、左眼で覗いているかの判断を行う（Ｓ２０５）。
【００２２】
マイコンが、撮影者が左眼でファインダを覗いていると判断する場合（Ｓ２０５において“左目で接眼”）は、タッチパネルの入力可能領域を左半分が有効な入力可能領域６に設定する（Ｓ２０９）。一方、撮影者が右目でファインダを覗いていると判断する場合（Ｓ２０５において“右目で接眼”）は、タッチパネルの入力可能領域を右半分が有効な入力可能領域７に設定する（Ｓ２１０）。
【００２３】
一方、接眼検出手段４および接眼検出手段５の出力の一方が第１の閾値以上であり、他方が第２の閾値以上である場合には、接眼はしているが左右いずれの眼で接眼しているか判断不能である。この場合、例えば撮影者が眼鏡などをかけている場合等が考えられる。その場合（Ｓ２０５において“判断不能”）は、電子式ビューファインダ３にタッチパネルの入力可能領域の選択を促すメッセージを表示する（Ｓ２０６）。具体的には、入力可能領域６および入力可能領域７のいずれかを選択するように促すメッセージを表示する。そして撮影者がタッチパネルを次にタッチするまで入力待ちとなる（Ｓ２０７）入力者がタッチパネルをタッチしたら（Ｓ２０７において“ｙ”）、そのタッチしたほうの領域を、入力可能領域に設定する。すなわち、撮影者が入力可能領域６にタッチしたことをタッチパネルが検出すると（Ｓ２０８において“入力可能領域６にタッチ”）、タッチパネルの入力可能領域を入力可能領域６に設定する（Ｓ２０９）。一方、撮影者が入力可能領域７にタッチしたことをタッチパネルが検出すると（Ｓ２０８において“入力可能領域７にタッチ”）、タッチパネルの入力可能領域を入力可能領域７に設定する（Ｓ２１０）。
【産業上の利用可能性】
【００２４】
本発明によれば、ＬＣＤモニタであっても、電子式ビューファインダであっても、撮影者の使用形態を意識することなくタッチパネルを使用できるので、デジタルスチルカメラなどの撮像装置にも適用可能である。
【符号の説明】
【００２５】
１  デジタルカメラ
２  ＬＣＤモニタ
３  電子式ビューファインダ
４  第１の接眼検出手段
５  第２の接眼検出手段
６  入力可能領域
７  入力可能領域
８  入力可能領域
【図４】
2011146959.tif 000003
【図５】
2011146959.tif 000004
【図１】
2011146959.tif 000005
【図２】
2011146959.tif 000006
【図３】
2011146959.tif 000007